(57)【要約】【課題】ハウジング内に軸受が保持されたガイドローラにおいて、ハウジング内への軸孔からの砥粒混合液の侵入を防止して軸受の寿命向上を実現する。【解決手段】ハウジング４内に軸受２，３が保持されたガイドローラ１において、ハウジングは、軸受に取り付けられる支持軸６が挿入される軸孔５０を有し、当該軸孔は、テーパ状の孔壁を有し、ハウジングの内側に向けて連続的に縮径している構成とする。【選択図】図１
2011052193.tif 000002
【特許請求の範囲】
【請求項１】
軸受と、
前記軸受を内部に保持すると共に、当該軸受に取り付けられる支持軸が挿入される軸孔を有するハウジングと
を備え、
前記軸孔は、テーパ状の孔壁を有し、前記ハウジングの内側に向けて連続的に縮径していることを特徴とするガイドローラ。
【請求項２】
前記支持軸は、その外周面の周方向に延在し、かつ当該外周面から前記テーパ状の孔壁に向けて突設された環状凸部を有することを特徴とする請求項１に記載のガイドローラ。
【請求項３】
前記支持軸に取り付けられ、平面視において前記軸孔に重なるように配置されたカバー部材を更に備えたことを特徴とする請求項１または請求項２に記載のガイドローラ。
【請求項４】
前記ハウジングがその外周に環状段差部を有し、当該環状段差部は、テーパ状の周面を有し、軸方向外側に向けて連続的に拡径していることを特徴とする請求項１から請求項３のいずれかに記載のガイドローラ。
【請求項５】
前記ハウジングには、前記軸孔の開口を外囲すると共に、前記支持軸の反挿入方向に突出する環状突出部が設けられたことを特徴とする請求項１から請求項３のいずれかに記載のガイドローラ。
【請求項６】
前記環状突出部は、軸方向外側に向けて連続的に拡径しているテーパ状の内周面を有することを特徴とする請求項５に記載のガイドローラ。
【発明の詳細な説明】
【技術分野】
【０００１】
本発明は、ハウジング内に軸受が保持されたガイドローラに関し、特に、ワイヤソーのワイヤに張力を付与するのに好適なガイドローラに関する。
【背景技術】
【０００２】
従来、硬質で脆い材料からなるワーク（例えば、シリコンインゴットやガラス等）を切断するためのワイヤソーが知られている（特許文献１参照）。この種のワイヤソーでは、ワークの切断部位に砥粒を含んだ加工液を供給しながら、適切な張力が付与された状態でプーリユニットに巻き掛けられたワイヤ、または、砥粒を含まない加工液を供給しながら、予め砥粒を付着させたワイヤを所定の速度で走行させることにより、ワークの切断や溝入れ加工等を施すことができる。
【先行技術文献】
【特許文献】
【０００３】
【特許文献１】特開２００８−６８３３２号公報
【発明の概要】
【発明が解決しようとする課題】
【０００４】
しかしながら、上記従来のワイヤソーでは、軸受が保持されたガイドローラのハウジング内に砥粒混合液（砥粒を含んだ加工液や砥粒を付着させたワイヤから脱落した砥粒と加工液が混ざった液体）が侵入することにより、軸受の寿命が低下し、ランニングコストが嵩むという課題があった。【０００５】
本発明は、このような従来技術の課題を鑑みて案出されたものであり、軸受が保持されたハウジング内への軸孔からの砥粒混合液の侵入を防止して軸受の寿命向上を実現するガイドローラを提供することを目的とする。
【課題を解決するための手段】
【０００６】
上記課題を解決するためになされた本発明の第１の側面では、軸受（２，３）と、前記軸受を内部に保持すると共に、当該軸受に取り付けられる支持軸（６）が挿入される軸孔（５０）を有するハウジング（４）とを備え、前記軸孔は、テーパ状の孔壁を有し、前記ハウジングの内側に向けて連続的に縮径している構成とする。【０００７】
また、本発明の第２の側面として、前記支持軸は、その外周面の周方向に延在し、かつ当該外周面から前記テーパ状の孔壁に向けて突設された環状凸部（６５，６６）を有する構成とすることができる。【０００８】
また、本発明の第３の側面として、前記支持軸に取り付けられ、平面視において前記軸孔に重なるように配置されたカバー部材（７１）を更に備えた構成とすることができる。【０００９】
また、本発明の第４の側面として、前記ハウジングがその外周に環状段差部（１７，１８）を有し、当該環状段差部は、テーパ状の周面（１７ｂ，１８ｂ）を有し、軸方向外側に向けて連続的に拡径している構成とすることができる。【００１０】
また、本発明の第５の側面として、前記ハウジングには、前記軸孔の開口を外囲すると共に、前記支持軸の反挿入方向に突出する環状突出部（９１）が設けられた構成とすることができる。【００１１】
また、本発明の第６の側面として、前記環状突出部は、軸方向外側に向けて連続的に拡径しているテーパ状の内周面（９１ｂ）を有する構成とすることができる。
【発明の効果】
【００１２】
上記本発明の第１の側面によれば、軸孔からハウジング内に侵入した砥粒混合液は、ハウジングの回転時に生じる遠心力により、テーパ状の孔壁を伝ってハウジングの外部に導かれるため、軸孔からハウジング内への砥粒混合液の侵入を防止して軸受の寿命向上を実現することが可能となるという優れた効果を奏する。
また、上記本発明の第２の側面によれば、支持軸の外周面を伝ってハウジング内に侵入した砥粒混合液は、環状凸部によってハウジングのテーパ状の孔壁側に導かれた後、この孔壁を伝ってハウジングの外部に導かれるため、ハウジング内への砥粒混合液の侵入をより効果的に防止することができる。
また、上記本発明の第３の側面によれば、カバー部材により軸孔を覆うことによって砥粒混合液の軸孔への侵入を防止することができ、ハウジング内への砥粒混合液の侵入をより効果的に防止することができる。
また、上記本発明の第４および第５側面によれば、砥粒混合液がハウジングの外周面側からハウジングの側面を伝って軸孔に侵入することを防止することができ、ハウジング内への砥粒混合液の侵入をより効果的に防止することができる。
また、上記本発明の第６の側面によれば、環状突出部の内側に侵入しようとする砥粒混合液は、テーパ状の内周面を伝ってハウジングの外側に導かれるため、軸孔側への砥粒混合液の侵入をより効果的に防止することができる。
【図面の簡単な説明】
【００１３】
【図１】第１実施形態に係るガイドローラの要部縦断面図である。
【図２】第１実施形態に係るガイドローラの要部側面図である。
【図３】第１実施形態に係るガイドローラに取り付けられるプーリ本体の正面図である。
【図４】第１実施形態に係るガイドローラのエンドキャップの側面図である。
【図５】第２実施形態に係るガイドローラの要部縦断面図である。
【図６】第３実施形態に係るガイドローラの要部縦断面図である。
【発明を実施するための形態】
【００１４】
＜第１実施形態＞
以下、図１〜図４を参照しながら、本発明の第１実施形態に係るガイドローラの構成について説明する。説明にあたり、ガイドローラおよびその構成要素の方向については、図１に示す配置にしたがって「左」、「右」を定め、この左右方向を「軸方向」とする。
【００１５】
ガイドローラ１は、図示しないワイヤソーにおいてワークの切断に用いられるワイヤに張力を付与するものであり、図１に示すように、内部に２つの軸受２，３が保持されたハウジング４と、ハウジング４の外周に取り付けられるプーリ本体５（図３参照）と、ハウジング４を回転自在に支持する支持軸６とを主として備える。図示しないワイヤは、プーリ本体５の外周面に周方向に沿って形成された２つのワイヤ溝７に巻き掛けられる。
【００１６】
ハウジング４は、略筒状を呈するハウジング本体１１と、このハウジング本体１１の一端側にボルト１２にて連結されたエンドキャップ１３とを有する。ハウジング４に対するプーリ本体５の取り付けは、ハウジング本体１１の胴部１４をプーリ本体５の取付孔５ａに挿入した後に、胴部１４の右端部にエンドキャップ１３を装着することによって行われる。このとき、胴部１４の左端側に設けられたフランジ部１５と、エンドキャップ１３に形成された環状支持部１６とによってプーリ本体５の両側面５ｂ，５ｃが挟持固定された状態となる。
【００１７】
また、ハウジング４の外周におけるフランジ部１５の左側には、円錐台の底面側の外周部分と同様の形状をなす第１および第２の環状段差部１７，１８が階段状に設けられている。第２の環状段差部１８は、フランジ部１５に比べてより縮径された部位（すなわち、よりハウジング４の中心軸に近い位置）に形成され、更に、第１の環状段差部１７は第２の環状段差部１８に比べてより縮径された部位に形成されている。環状段差部１７，１８は、軸方向に対して直交する環状の軸方向端面１７ａ，１８ａと、軸方向内側から外側に向けて連続的に拡径するように軸方向に対して傾斜したテーパ状の外周面１７ｂ，１８ｂとを有する。これにより、環状段差部１７，１８は、図１に示す縦断面において、それぞれ軸方向端面１７ａ，１８ａと外周面１７ｂ，１８ｂとによって形成される径方向外向きの鋭角な先端部を有する。
【００１８】
プーリ本体５の側面５ｃに当接するエンドキャップ１３の環状支持部１６の当接面１６ａには、図４に示すように、螺旋状の溝２１が形成されており、これにより、プーリ本体５を安定的に固定することが可能となっている。つまり、ワイヤの切断等を防止するために柔軟性の高い部材（ウレタン等）で形成されたプーリ本体５は、回転による遠心力でその幅が細る場合があるが、そのような場合でも螺旋状の溝２１によってプーリ本体５のスリップを防止することができる。なお、螺旋状の溝２１の代わりに、同心円状の溝を複数形成してもよい。
【００１９】
軸受２，３は、同一構造を有する両シール付き深溝玉軸受からなり、ハウジング本体１１の内周面によって画成される円筒状の軸受保持室３１に圧入される。軸受２の内輪２ａと軸受３の内輪３ａとの間には、両内輪２ａ，３ａと共に回転する環状の内カラー３２が介装されている。また、軸受２の外輪２ｂと軸受３の外輪３ｂとの間には、内カラー３２を外囲する環状の外カラー３３が介装されている。両カラー３２，３３により、軸受２，３はそれらの軸方向に所定の間隔をおいて安定的に保持される。ここで、内カラー３２と外カラー３３との径方向の厚みは、内カラー３２の外周面と外カラー３３との内周面との間の間隙を極力小さくするように設定されている。これにより、ガイドローラ１の回転停止後において空気の温度低下により内部圧力が低下しても、外部から砥粒混合液を吸い込むことを抑制できる。
【００２０】
また、ハウジング本体１１内には、軸受保持室３１の右側を画成する栓部材４１が配置されている。栓部材４１は、円形の平板部４１ａから左側に環状部４１ｂが突設された構成を有しており、ハウジング本体１１の内周面および環状の支持板４２と共にＯリング４３の保持スペースを画成する。栓部材４１とＯリング４３とによって、エンドキャップ１３側から軸受保持室３１への砥粒混合液の侵入が防止される。また、栓部材４１の右側への移動は、ハウジング本体１１の環状溝４４に取り付けられたストップリング４５によって規制されている。
【００２１】
ハウジング本体１１は、軸受２，３に取り付けられる支持軸６を挿入するための軸孔５０を有する。軸孔５０は、ハウジング本体１１の左側壁に開口して軸受保持室３１に連通する。また、軸孔５０は、ハウジング本体１１におけるテーパ状の内周面によって画成され、ハウジング本体１１の内側に向けて連続的に縮径している。
【００２２】
支持軸６は、その脚部をなす先端側を形成する軸受装着部６１が軸受２，３の内輪２ａ，３ａに嵌入されている。軸受装着部６１の先端は、固定ねじ６２によって固定リング６３に対して固定される。これにより、軸受２，３は、固定リング６３と、軸受装着部６１の後側に連なるテーパ拡径部６４の前端面との間に挟持固定される。テーパ拡径部６４は、軸受装着部６１側に向けて先細りしたテーパ状をなし、その外周面には、第１および第２の環状凸部６５，６６が軸方向に所定の間隔をおいて設けられている。第１および第２の環状凸部６５，６６の外周面６５ａ，６６ａは、それぞれ軸孔５０の孔壁と同じ傾きをもってテーパ状に形成されている。また、支持軸６の頭部６７には、図示しないガイドローラ支持機構に連結するためのねじ連結部６８が突設されている。
【００２３】
また、支持軸６におけるテーパ拡径部６４の左端には、平面視において（図１中の左側から見た場合に）、軸孔５０に重なるようにカバー部材７１が取り付けられている。カバー部材７１は、支持軸６と共に軸孔５０の全体を覆うように配置されている。カバー部材７１は、円板の中央に取付孔７２が形成された構成を有し、取付孔７２にはテーパ拡径部６４が嵌入される。また、カバー部材７１は、第１の環状段差部１７よりも大きな径を有しており、その外周縁部７３が、第１の環状段差部１７を覆うように、ハウジング本体１１側に接近する方向に湾曲している。更に、外周縁部７３の外周端７３ａは、第２の環状段差部１８の軸方向端面１８ａに近接して配置されている。
【００２４】
上記構成のガイドローラ１は、ワイヤソーの砥粒混合液が降り掛かる環境で使用される。しかしながら、ハウジング４の外周側から軸孔５０に向けて侵入しようとする砥粒混合液は、軸孔５０の開口端側に設けられた第１および第２の環状段差部１７，１８を伝う際に、回転するハウジング４に生じる遠心力により、径方向外側（すなわち、軸孔５０から遠ざかる方向）に導かれる。また、ハウジング４の側方（左方向）から軸孔５０に向けて侵入しようとする砥粒混合液は、カバー部材７１によってその侵入が阻止される。さらに、砥粒混合液が、ハウジング本体１１とカバー部材７１の間を通過して軸孔５０に侵入した場合でも、砥粒混合液は、回転するハウジング４に生じる遠心力により、軸孔５０における傾斜した孔壁に沿ってハウジング４の外部に排出される方向（左方向）に導かれる。
【００２５】
また、ハウジング本体１１とカバー部材７１との間を通過した後に、支持軸６の外周面を伝って軸孔５０に向けて侵入しようとする砥粒混合液も、支持軸６に設けられた第１および第２の環状凸部６５，６６によって軸孔５０の孔壁側に導かれ、最終的に、ハウジング４の外部に排出される方向に導かれることになる。
【００２６】
なお、支持軸６内には、軸受２，３に空気を供給するための空気圧供給通路８１が設けられている。空気圧供給通路８１は、ねじ連結部６８に設けられた開口８１ａからテーパ拡径部６４における第１および第２の環状凸部６５，６６の間に設けられた開口８１ｂに至る。
【００２７】
ここで、第１の環状凸部６５の外周面６５ａは、軸孔５０の孔壁に近接するように配置される一方、第２の環状凸部６６の外周面６６ａは、外周面６５ａに比べて、軸孔５０の孔壁からより大きな間隔をあけて配置されている。これにより、開口８１ｂから吐出される空気の供給を妨げることなく、砥粒混合液が支持軸６の外周面を伝って軸受保持室３１に侵入することを防止することができる。また、空気を供給することで、遠心力のみならず空気圧の効果も加わって、侵入してきた砥粒混合液を逆流させて外部に排出することができ、砥粒混合液が軸受保持室３１に侵入することを防止できる。
【００２８】
この場合、空気圧供給通路８１からオイルミスト（潤滑剤を含む空気）を供給することも可能である。オイルミストの場合、ハウジング４が回転中である場合にも遠心力の影響を受けずに供給することが可能であり、また、軸孔５０の孔壁とテーパ拡径部６４の外周面との間のスペースにオイルミストが充満して、当該スペースへの砥粒混合液等の侵入を防止できるという利点がある。また、オイルミストの場合、ガイドローラ１の回転の停止後に温度が低下しても空気に比べて圧力の低下が小さいため、内部圧力の低下により外部から砥粒混合液を吸い込むことを効果的に抑制できるという利点もある。さらに、オイルミストの場合、軸受２，３の錆防止効果も期待できる。
【００２９】
＜第２実施形態＞
次に、図５を参照して、本発明の第２実施形態に係るガイドローラの構成について説明する。第２実施形態において、上述の第１実施形態の場合と同様の構成要素については、同一の符号を付し、詳細な説明を省略する。
【００３０】
第２実施形態に係るガイドローラ１は、カバー部材７１の構成の違いを除けば第１実施形態の場合と同様である。図５において、カバー部材７１は、フランジ部１５よりも大きな径を有しており、その外周縁部７３が、第１および第２の環状段差部１７，１８のみならずフランジ部１５も覆うように、ハウジング本体１１側に接近する方向に湾曲している。更に、外周縁部７３の外周端７３ａは、フランジ部１５の外周面の幅方向中央付近に配置されている。このように、カバー部材７１のハウジング本体１１に対するカバー領域を拡大することにより、軸受保持室３１内への砥粒混合液の侵入をより効果的に防止することができる。
【００３１】
＜第３実施形態＞
次に、図６を参照して、本発明の第３実施形態に係るガイドローラの構成について説明する。第３実施形態において、上述の第１実施形態の場合と同様の構成要素については、同一の符号を付し、詳細な説明を省略する。
【００３２】
第３実施形態に係るガイドローラ１は、軸孔５０への砥粒混合液の侵入を防止するために、第１実施形態における第１および第２の環状段差部１７，１８等（図１参照）の代替構造を有している点を除けば、第１実施形態の場合と同様である。より詳細には、図６に示すように、ハウジング４の左側部には、軸孔５０の開口を外囲すると共に、支持軸６の反挿入方向（左方向）に突出する環状突出部９１が設けられている。環状突出部９１の外周面９１ａは、フランジ部１５を介してハウジング本体１１の胴部１４に連なるように形成されている。また、環状突出部９１の内周面９１ｂは、テーパ状をなし、軸方向内側から外側に向けて連続的に拡径するように軸方向に対して傾斜している。環状突出部９１の内周側には、カバー部材７１が配置されており、環状突出部９１の先端部９１ｃは、カバー部材７１を越えて更に左側に位置している。また、カバー部材７１において、湾曲した外周縁部７３の外周端７３ａは、環状突出部９１の内周側に設けられた環状溝９２内に緩やかに挿入された状態にある。
【００３３】
この第３実施形態に係るガイドローラ１では、ハウジング４の外周側から軸孔５０に向けて侵入しようとする砥粒混合液は、軸孔５０の開口端側に設けられた環状突出部９１を伝う際に、回転するハウジング４に生じる遠心力により、径方向外側（すなわち、軸孔５０から遠ざかる方向）に導かれる。特に、環状突出部９１の内側（ここでは、環状突出部９１とカバー部材７１との隙間）に侵入しようとする砥粒混合液は、テーパ状の内周面９１ｂを伝って環状突出部９１の先端９１ｃ側（ハウジング４の外側）に導かれるため、軸孔５０側への砥粒混合液の侵入をより効果的に防止することができる。
【００３４】
図６の第３実施形態に係るガイドローラ１は、上述の空気圧供給通路８１（図１参照）を省略した例を示したものであるが、このような構成においても、従来のガイドローラに比べて砥粒混合液の侵入をより効果的に防止することができる。空気圧供給通路８１を省略することにより、空気を供給するための設備も不要となり、電気代等のランニングコストや環境への負荷も低減できるという利点がある。なお、第３実施形態と同様に、上述の第１および第２実施形態において空気圧供給通路８１を省略することも可能である。
【００３５】
本発明を特定の実施形態に基づいて詳細に説明したが、上記実施形態はあくまでも例示であって、本発明はこれらの実施形態によって限定されるものではない。例えば、本発明に係るガイドローラは、砥粒混合液のみならず、水等の他の液体が軸受保持室３１に侵入することを防止することが可能である。また、ハウジング本体１１における環状段差部や支持軸における環状凸部の配置や数量は種々の変更が可能である。
【００３６】
なお、上記実施形態に示した本発明に係るガイドローラの各構成要素は、必ずしも全てが必須ではなく、少なくとも本発明の範囲を逸脱しない限りにおいて適宜取捨選択することが可能である。例えば、支持軸に設けられる環状凸部や、ハウジングに取り付けられるカバー部材等を適宜省略した構成も可能である。
【符号の説明】
【００３７】
１  ガイドローラ
２，３  軸受
４  ハウジング
５  プーリ本体
６  支持軸
１１  ハウジング本体
１３  エンドキャップ
１４  胴部
１５  フランジ部
１６  環状支持部
１７  第１の環状段差部
１８  第２の環状段差部
３１  軸受保持室
５０  軸孔
６１  軸受装着部
６４  テーパ拡径部
６５  第１の環状凸部
６６  第２の環状凸部
７１  カバー部材
９１  環状突出部
９１ｂ  内周面
【図１】
2011052193.tif 000003
【図２】
2011052193.tif 000004
【図３】
2011052193.tif 000005
【図４】
2011052193.tif 000006
【図５】
2011052193.tif 000007
【図６】
2011052193.tif 000008
【手続補正書】
【提出日】平成23年2月8日(2011.2.8)
【手続補正１】
【補正対象書類名】特許請求の範囲
【補正対象項目名】全文
【補正方法】変更
【補正の内容】
【特許請求の範囲】
【請求項１】
軸受と、
前記軸受を内部に保持すると共に、当該軸受に取り付けられる支持軸が挿入される軸孔を有するハウジングと
を備え、
前記軸孔は、テーパ状の内周面が形成された孔壁を有し、前記ハウジングの内側に向けて連続的に縮径していることを特徴とするガイドローラ。
【請求項２】
前記支持軸は、その外周面の周方向に延在し、かつ当該外周面から前記テーパ状の内周面が形成された孔壁に向けて突設された環状凸部を有することを特徴とする請求項１に記載のガイドローラ。
【請求項３】
前記支持軸に取り付けられ、平面視において前記軸孔に重なるように配置されたカバー部材を更に備えたことを特徴とする請求項１または請求項２に記載のガイドローラ。
【請求項４】
前記ハウジングがその外周に環状段差部を有し、当該環状段差部は、テーパ状の周面を有し、軸方向外側に向けて連続的に拡径していることを特徴とする請求項１から請求項３のいずれかに記載のガイドローラ。
【請求項５】
前記ハウジングには、前記軸孔の開口を外囲すると共に、前記支持軸の反挿入方向に突出する環状突出部が設けられたことを特徴とする請求項１から請求項３のいずれかに記載のガイドローラ。
【請求項６】
前記環状突出部は、軸方向外側に向けて連続的に拡径しているテーパ状の内周面を有することを特徴とする請求項５に記載のガイドローラ。
【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
軸受と、
前記軸受を内部に保持すると共に、当該軸受に取り付けられる支持軸が挿入される軸孔を有するハウジングと
を備え、
前記軸孔は、テーパ状の内周面が形成された孔壁を有し、前記ハウジングの内側に向けて連続的に縮径しており、
前記支持軸は、その外周面の周方向に延在し、かつ当該外周面から前記テーパ状の内周面が形成された孔壁に向けて突設された環状凸部を有することを特徴とするガイドローラ。
【請求項２】
前記支持軸に取り付けられ、平面視において前記軸孔に重なるように配置されたカバー部材を更に備えたことを特徴とする請求項１に記載のガイドローラ。
【請求項３】
前記ハウジングがその外周に環状段差部を有し、当該環状段差部は、テーパ状の周面を有し、軸方向外側に向けて連続的に拡径していることを特徴とする請求項１または請求項２に記載のガイドローラ。
【手続補正２】
【補正対象書類名】明細書
【補正対象項目名】０００６
【補正方法】変更
【補正の内容】
【０００６】
上記課題を解決するためになされた本発明の第１の側面では、軸受（２，３）と、前記軸受を内部に保持すると共に、当該軸受に取り付けられる支持軸（６）が挿入される軸孔（５０）を有するハウジング（４）とを備え、前記軸孔は、テーパ状の内周面が形成された孔壁を有し、前記ハウジングの内側に向けて連続的に縮径している構成とする。
【手続補正３】
【補正対象書類名】明細書
【補正対象項目名】０００７
【補正方法】変更
【補正の内容】
【０００７】
また、本発明の第２の側面として、前記支持軸は、その外周面の周方向に延在し、かつ当該外周面から前記テーパ状の内周面が形成された孔壁に向けて突設された環状凸部（６５，６６）を有する構成とすることができる。
【手続補正４】
【補正対象書類名】明細書
【補正対象項目名】００１２
【補正方法】変更
【補正の内容】
【００１２】
上記本発明の第１の側面によれば、軸孔からハウジング内に侵入した砥粒混合液は、ハウジングの回転時に生じる遠心力により、テーパ状の内周面が形成された孔壁を伝ってハウジングの外部に導かれるため、軸孔からハウジング内への砥粒混合液の侵入を防止して軸受の寿命向上を実現することが可能となるという優れた効果を奏する。
また、上記本発明の第２の側面によれば、支持軸の外周面を伝ってハウジング内に侵入した砥粒混合液は、環状凸部によってハウジングのテーパ状の内周面が形成された孔壁側に導かれた後、この孔壁を伝ってハウジングの外部に導かれるため、ハウジング内への砥粒混合液の侵入をより効果的に防止することができる。
また、上記本発明の第３の側面によれば、カバー部材により軸孔を覆うことによって砥粒混合液の軸孔への侵入を防止することができ、ハウジング内への砥粒混合液の侵入をより効果的に防止することができる。
また、上記本発明の第４および第５側面によれば、砥粒混合液がハウジングの外周面側からハウジングの側面を伝って軸孔に侵入することを防止することができ、ハウジング内への砥粒混合液の侵入をより効果的に防止することができる。
また、上記本発明の第６の側面によれば、環状突出部の内側に侵入しようとする砥粒混合液は、テーパ状の内周面を伝ってハウジングの外側に導かれるため、軸孔側への砥粒混合液の侵入をより効果的に防止することができる。
【国際調査報告】
2011052193.tif 000009
2011052193.tif 000010
2011052193.tif 000011
2011052193.tif 000012